(57)【要約】【課題】表示部の画面表示品質が低下することなく、文字入力を効率的に行うことができる携帯電話機を提供する。【解決手段】携帯電話機１００における電話機本体５０の表面において、ディスプレイ２とは異なる位置であり、テンキー釦４を備えたテンキー部６０が閉じられた際に覆われる位置に、文字入力を行うためのタッチパッド６を設ける構成にした。【選択図】　　図１
2004096494.tif 000002
【特許請求の範囲】
【請求項１】
表示部を有する電話機本体と、前記電話機本体の表面の一部を覆い、且つ移動可能に取り付けられた移動部材と、を備えた携帯電話機であって、
前記移動部材の外側表面に複数の操作キーを設け、
前記移動部材の移動によって露出する前記電話機本体の表面に、文字入力を行うための位置検出部を設け、
前記位置検出部に入力された文字を認識する認識手段を備えたことを特徴とする携帯電話機。
【請求項２】
請求項１記載の携帯電話機において、
前記位置検出部は、当該位置検出部が押下された軌跡に基づく信号を検出し、
前記認識手段は、前記位置検出部が検出した信号に基づき文字の認識を行うことを特徴とする携帯電話機。
【請求項３】
請求項１または２記載の携帯電話機において、
前記移動部材は、当該移動部材の一端が、前記電話機本体に、ヒンジ機構を介して取り付けられていることを特徴とする携帯電話機。
【請求項４】
請求項１または２記載の携帯電話機において、
前記移動部材は、当該移動部材の端部が、前記電話機本体に、スライド機構を介して取り付けられていることを特徴とする携帯電話機。
【発明の詳細な説明】
【０００１】
【発明の属する技術分野】
本発明は、文字入力機能を有する携帯電話機に関する。
【０００２】
【従来の技術】
従来の携帯電話機４００（図１１）において、例えば、アドレス帳に個人名などを記載するため、文字を入力する方法として、電話番号入力用のテンキー釦４０を使用する方法が知られている。即ち、入力モードを切り替えてテンキー釦４０によりひらがな、カタカナ、英数字等を入力し、必要に応じて漢字への変換等を別の機能釦４４にて実施する方法である。
また、携帯電話機４００の表示部Ｄの表面上に、位置検出部としてのタッチパネルを設け、タッチパネルの表面を撫でる軌跡を入力することにより、文字を直接入力する方法も知られている。
【０００３】
【発明が解決しようとする課題】
しかしながら、テンキー釦４０を使用し、文字を入力する場合には、テンキー釦４０の限られた釦数により、ひらがな、カタカナのかな文字や英字、数字等を入力するため、同一の釦（キー）を複数回押して、希望の文字を呼び出し、選択しなければならかった。例えば、ひらがなの「あ行」に１つのキー（例えば、数字キー「１」）が割り当てられ、「あ」なら１回、「い」なら２回、「う」なら３回、「え」なら４回、「お」なら５回押下するといった操作が一般的である。
特に近年、携帯電話機４００において、通常の通信会話機能の他に、文字を入力し、その文字による文字情報（文章）の通信を行うという電子メール機能が加わったことにより、文字を入力する機会が増えた。このような携帯電話機４００で文字を入力し、文章を作成するためには、非常に多くの回数、テンキーを押下する必要があり、文字情報の入力には、非常に多くの時間を要する問題があった。
また、表示部Ｄの表面上にタッチパネルを設ける場合、タッチパネル自体の透過率の悪さや、タッチパネルの表面を撫でる入力動作の際にタッチパネルの表面に生じる汚れや傷等により、表示部Ｄの画面表示品質が低下するという問題があった。
【０００４】
本発明の課題は、表示部の画面表示品質が低下することなく、文字入力を効率的に行うことができる携帯電話機を提供することである。
【０００５】
【課題を解決するための手段】
以上の課題を解決するため、請求項１記載の発明は、
表示部（例えば、ディスプレイ２）を有する電話機本体（例えば、電話機本体５０）と、前記電話機本体の表面の一部を覆い、且つ移動可能に取り付けられた移動部材（例えば、テンキー部６０）と、を備えた携帯電話機（例えば、携帯電話機１００）であって、
前記移動部材の外側表面に複数の操作キー（例えば、テンキー釦４）を設け、
前記移動部材の移動によって露出する前記電話機本体の表面に、文字入力を行うための位置検出部（例えば、タッチパッド６）を設け、
前記位置検出部に入力された文字を認識する認識手段（例えば、メイン基板１３）を備えたことを特徴とする。
【０００６】
請求項１記載の発明によれば、電話機本体の表面における移動部材により覆われる領域に、表示部とは別体に、文字入力を行うための位置検出部を設けたので、表示部の画面表示品質を低下させることなく、位置検出部より文字入力を効率的に行うことができる。
また、位置検出部は、移動部材により覆われることにより、損傷から防がれるとともに、外観上隠されるので、携帯電話機のデザイン性が損なわれることがない。
【０００７】
請求項２記載の発明は、請求項１記載の携帯電話機において、
前記位置検出部は、当該位置検出部が押下された軌跡に基づく信号を検出し、
前記認識手段は、前記位置検出部が検出した信号に基づき文字の認識を行うことを特徴とする。
【０００８】
請求項２記載の発明によれば、請求項１記載の発明と同様の効果が得られることは無論のこと、特に、位置検出部において、位置検出部が押下された軌跡に基づく信号を検出し、認識手段がその検出された信号に基づき文字を認識することにより、文字入力が行われるので、直接文字を入力することができることとなり、文字入力を効率的に行うことができる。
【０００９】
請求項３記載の発明は、請求項１または２記載の携帯電話機において、
前記移動部材は、当該移動部材の一端が、前記電話機本体に、ヒンジ機構（例えば、ヒンジ部５）を介して取り付けられていることを特徴とする。
【００１０】
請求項３記載の発明によれば、請求項１または２記載の発明と同様の効果が得られることは無論のこと、特に、携帯電話機本体に移動可能に取り付けられた移動部材は、移動部材の一端が携帯電話機本体に、ヒンジ機構を介して取り付けられているので、移動部材の開閉は速やかに行うことができる。
【００１１】
請求項４記載の発明は、請求項１または２記載の携帯電話機において、
前記移動部材は、当該移動部材の端部が、前記電話機本体に、スライド機構（例えば、レール溝５５ｂ、レール爪７０ａ）を介して取り付けられていることを特徴とする。
【００１２】
請求項４記載の発明によれば、請求項１または２記載の発明と同様の効果が得られることは無論のこと、特に、携帯電話機本体に移動可能に取り付けられた移動部材は、移動部材の端部が携帯電話機本体に、スライド機構を介して取り付けられているので、移動部材の開閉は速やかに行うことができる。
【００１３】
【発明の実施の形態】
以下、図を参照して本発明の実施の形態を詳細に説明する。
〔第１の実施の形態〕
図１は、本発明の第１の実施の形態における携帯電話機を示す図であり、図１（ａ）は正面図、図１（ｂ）は側面図である。図２は、図１（ａ）のＩＩ−ＩＩ線における要部の拡大断面図である。図３は、本発明の第１の実施の形態における携帯電話機の移動部材としてのテンキー部が開いた状態を示す図であり、図３（ａ）は正面図、図３（ｂ）は側面図である。図４は、図３（ａ）のＩＶ−ＩＶ線における要部の拡大断面図である。
図１〜図４に示すように、携帯電話機１００は、電話機本体５０とテンキー部６０等により構成されている。電話機本体５０は、複数のファンクションキー釦１を備えた本体入力部５０ａと、表示部としてのディスプレイ２を備えた本体表示部５０ｂとが、ヒンジ部材３を介して開閉可能に連結して構成されている。また、本体表示部５０ｂ内には、図示しないがスピーカが備えられており、そのスピーカから発せられる音声を外部に伝えるためのスピーカ孔ｓが形成されている。
【００１４】
テンキー部６０は、テンキー部６０が閉じられた状態（図１の状態）の外側表面に複数の操作キーとしてのテンキー釦４を備えている。また、テンキー部６０は、本体入力部５０ａにおけるヒンジ部材３に対向する側部において、ヒンジ機構としてのヒンジ部５を介して開閉可能に本体入力部５０ａと連結している。
また、本体入力部５０ａにおいて、テンキー部６０により覆われる領域には位置検出部としてのタッチパッド６が備えられている。
【００１５】
また、携帯電話機１００の本体入力部５０ａは、電話モジュールを構成する様々なパーツを内部に収納する機器ケースとしての、本体上ケース７と本体下ケース８とが備えられている。また、機器ケース（本体上ケース７、本体下ケース８）内には、電話モジュールを構成する様々なパーツを支持するための中ケース９が備えられている。
【００１６】
ファンクションキー釦１は、本体上ケース７の釦孔７ａに嵌め込まれており、中ケース９の表側に備えられた、ファンクションキー釦１に対応するキー基板１０に当接するように備えられている。キー基板１０は、ＦＰＣ（Ｆｌｅｘｉｂｌｅ　Ｐｒｉｎｔｅｄ　Ｃｉｒｃｉｔ）１１、コネクタ１２を介し、中ケース９の裏側に備えられたメイン基板１３に接続されている。
【００１７】
タッチパッド６は、中ケース９の表側に備えられており、本体上ケース７のタッチパッド孔７ｂから本体入力部５０ａの表面に露出している。
タッチパッド６は、ＦＰＣ１４、コネクタ１５を介し、メイン基板１３に接続されている。
【００１８】
また、本体入力部５０ａの裏面において、本体下ケース８に設けられた電池ホルダ部８ａには、携帯電話機１００が動作するための電源である電池パック１６が備えられている。
また、本体入力部５０ａの、本体上ケース７にはマイク孔７ｃが形成されており、本体上ケース７の裏側内部、マイク孔７ｃ下部にはマイクＭが備えられている。
【００１９】
また、携帯電話機１００のテンキー部６０は、テンキー釦４を収容する移動部材ケースとしての、上ケース１７と下ケース１８とが備えられている。上ケース１７の一端側がヒンジ部５を形成しており、本体入力部５０ａと連結している。
また、上ケース１７と下ケース１８とを連通するように、上ケース１７と下ケース１８にはそれぞれマイク孔１７ｃ、１８ｃが形成されている。なお、テンキー部６０が閉じられている状態においては、マイク孔１７ｃ、１８ｃはマイク孔７ｃと連通する位置にくる。
【００２０】
テンキー釦４は、上ケース１７の釦孔１７ａに嵌め込まれており、下ケース１８に備えられた、テンキー釦４に対応するキー基板１９に当接するように備えられている。キー基板１９は、ＦＰＣ２０、コネクタ２１を介し、本体入力部５０ａに備えられたメイン基板１３に接続されている。
【００２１】
ファンクションキー釦１は、例えば、携帯電話機１００の機能、メニューの切り替えを行うための釦や、文章作成の際の文字入力モードの切り替えや、かな文字の漢字変換を実施したり、スペース入力、文字削除、改行、等を行うための釦であり、文章作成時の文字入力以外の操作のための機能を有している。
テンキー釦４は、例えば、電源キーを兼ねたオンフックキー、オフフックキー、アドレス帳キー、数字キー、記号キー、等より構成されており、通話時の操作、電話番号入力等を行うための機能を有している。また、数字キー、記号キーは、文字入力時にかな文字や英数字を入力するための機能を有している。
【００２２】
ディスプレイ２は、例えば、ＬＣＤにより構成された表示画面であり、通話先の電話番号、アドレス帳に登録したデータの表示、また、文字入力時の文章作成画面等の表示を行う。
タッチパッド６は、物理的な圧力に反応して、圧力が印可された部分の抵抗値が変化するデバイスであり、例えば、抵抗膜方式のタッチパッドである。この抵抗膜方式のタッチパッド６は、抵抗膜の導通位置において圧力が印可されたことにより変化した電圧値により圧力が印可された位置を検出するものである。すなわち、タッチパッド６の両端に電圧をかけ、指やタッチペンでタッチパッド６上の任意の位置を押した場合に、押した位置によりそれぞれ別の電圧値が得られるので、その変化した電圧値から押された位置を特定する。この位置を特定する作業を連続的に行うことで、タッチパッド６を撫でた軌跡に基づく信号を検出する。検出した軌跡に基づく信号は、ＦＰＣ１４やコネクタ１５を介してメイン基板１３に伝達される。
また、例えば、このタッチパッド６を撫でた軌跡をディスプレイ２等に表示させることにより、ユーザは入力した文字等を認識することができる。
【００２３】
キー基板１０、１９は、ファンクションキー釦１やテンキー釦４が押下され、圧力が印可されたキー基板部分を特定する信号をＦＰＣ１１、２０やコネクタ１２、２１を介してメイン基板１３に送ることにより、各種キー、釦が押下されたことを伝達する。
メイン基板１３は、例えば、制御回路等が構成される回路基板であり、タッチパッド６を撫でた軌跡に基づく信号や、ファンクションキー釦１やテンキー釦４が押下されたことに基づく信号等に応じた携帯電話機１００の制御を行う。
例えば、メイン基板１３における制御回路において、タッチパッド６が押下し撫でられた軌跡をディスプレイ２に表示する表示制御が行われる。また、メイン基板１３における制御回路において、タッチパッド６が押下し撫でられた軌跡に基づく信号により文字認識する認識手段としての制御が行われる。
【００２４】
次に、このような構成の携帯電話機１００において、タッチパッド６による文字入力方法について説明する。
図５、図６は、携帯電話機１００において、タッチパッド６により文字入力を行う際に、ディスプレイ２に表示される表示画面の例を示したものであり、代表的な動作事例を２種類示している。図５は、漢字入力動作における表示画面例であり、　図６は、かな文字入力と文字の変換動作における表示画面例である。
【００２５】
まず、図５に示す漢字入力動作について説明する。例えば、この漢字入力モードは漢字の他、ひらがな、カタカナ、英数字等の入力が直接行え、文字の変換動作を必要としないモードである。
まず、ファンクションキー釦１により、文字入力モードを漢字入力モードに切り替えると、例えば、図５（ａ）に示す、漢字入力モードの表示画面がディスプレイ２に表示される。
そして、タッチパッド６の表面を撫でると、撫でた軌跡が表示画面の上側に設けられた軌跡表示エリア２ａに表示される。図５（ｂ）は、「外」と認識しうる軌跡が表示された表示例である。
次いで、ファンクションキー釦１により、軌跡表示エリア２ａに表示された軌跡を文字として確定するため確定実行すると、軌跡に基づき認識された文字が、表示画面の下側に設けられた文章表示エリア２ｂに表示される。図５（ｃ）は、「外」という漢字が確定され、表示された表示例である。
なお、軌跡に基づき認識された文字が所望の文字でなかった場合は、ファンクションキー釦１により、消去し、再入力を行えばよい。
【００２６】
従来の携帯電話機において、テンキー操作により「外」という文字を入力する場合、例えば、さ行が割り当てられた数字キー「３」を５回押下し“そ”を入力、また、た行が割り当てられた数字キー「４」を５回押下し“と”を入力した後、漢字変換キーの押下を行い「そと」を「外」と変換する必要があり、キーの押下回数が多く、文字入力に時間を要した。
これに対し、本発明の携帯電話機１００は、前述のようにタッチパッド６を用いて漢字の入力を直接行うことができるので、文字の入力、文章の作成を速く行うことができる。
【００２７】
次に、　図６が示すかな文字入力と文字の変換動作について説明する。例えば、このかな文字入力／変換モードは、ひらがな、カタカナ、英数字等の入力を直接行うとともに、必要に応じ、かな文字の変換動作を行うモードである。
まず、ファンクションキー釦１により、文字入力モードをかな文字入力／変換モードに切り替えると、図６（ａ）に示す、かな文字入力／変換モードの表示画面がディスプレイ２に表示される。
そして、タッチパッド６の表面を撫でると、撫でた軌跡が表示画面の上側に設けられた軌跡表示エリア２ａに表示される。図６（ｂ）は、「と」と認識しうる軌跡が表示された表示例である。次いで、ファンクションキー釦１により、軌跡表示エリア２ａに表示された軌跡を文字として仮確定するため仮確定実行すると、軌跡に基づき認識され文字が、表示画面の下側に設けられた文章表示エリア２ｂに表示される。図６（ｃ）は、「と」というひらがなが仮確定され、表示された表示例である。
【００２８】
続いて同様に、タッチパッド６の表面を撫で、文字の軌跡を入力する動作と、軌跡表示エリア２ａに表示された軌跡を文字として仮確定するため仮確定実行を、繰り返し行う。図６（ｄ）は、「の」と認識しうる軌跡が表示された表示例であり、図６（ｅ）は、「の」というひらがなが仮確定され、先に仮確定した「と」とともに「との」と表示された表示例である。
次いで、ファンクションキー釦１により、入力された、かな文字「との」の変換実行を行うと、「殿」、「都の」、「戸の」、などの変換例が白抜き文字で表示される。図６（ｆ）は、「殿」という文字が白抜き表示された表示例である。そして、ファンクションキー釦１により、変換確定されると、変換例から選択された文字が文章表示エリア２ｂに表示される。図６（ｇ）は、「殿」という漢字が確定され、表示された表示例である。
【００２９】
このように、本発明の携帯電話機１００は、タッチパッド６を用いてかな文字の入力を行い、そのかな文字を漢字に変換することもできるので、うろ覚えや忘れてしまった漢字の入力や、画数の多い漢字等の入力を速やかに行うことができる。
【００３０】
このように、本発明の携帯電話機１００は、従来の携帯電話機のように、テンキー操作等による複数回のキー（釦）押下を行う必要があり、文字入力に時間を要し、文字入力の操作が煩雑であった方法に比べ、タッチパッド６を用いて漢字やかな文字、英数字等の入力を直接行うことができるので、文字の入力を速く行うことができ、文章の作成を効率よく行うことができる。
特に、電話機本体５０の表面におけるテンキー部６０により覆われる領域に、タッチパッド６を設けたので、表示部としてのディスプレイ２に重ねてタッチパネルを設けた場合のような画面表示品質の低下は生じない。また、タッチパッド６は、テンキー部６０により覆われ、隠されることにより、損傷から防がれるとともに、携帯電話機１００のデザイン性が損なわれることがない。
【００３１】
〔第２の実施の形態〕
次に、本発明の第２の実施の形態における携帯電話機について説明する。
図７は、本発明の第２の実施の形態における携帯電話機２００を示す図であり、図７（ａ）は正面図、図７（ｂ）は側面図である。図８は、本発明の第２の実施の形態における携帯電話機２００の移動部材としてのテンキー部７０が開いた状態を示す図であり、図８（ａ）は正面図、図８（ｂ）は側面図である。
なお、携帯電話機２００は、第１の実施の形態における携帯電話機１００とほぼ同様の構成であるので、異なる部分についてのみ説明する。
【００３２】
図７、図８に示すように、携帯電話機２００のテンキー部７０は、スライド機構により開閉可能に本体入力部５５ａと連結している。スライド機構は、例えば、テンキー部７０の側部に設けられたレール爪７０ａと、本体入力部５５ａの側面に設けられたレール溝５５ｂとが係合し、レール爪７０ａがレール溝５５ｂに沿って移動可能に構成されている。
また、位置検出部は、ＬＣＤ（図示せず、ただし光透過性を有する抵抗膜方式の位置検出デバイスを介し、視認可能。）と、ＬＣＤ上に設けられた光透過性を有する抵抗膜方式の位置検出デバイス等により構成された、第２の表示部としてのタッチパネル６６により構成されている。
また、例えば、メイン基板１３における制御回路において、タッチパネル６６が押下し撫でられた軌跡をタッチパネル６６のＬＣＤに表示する第１の表示制御や、タッチパネル６６が押下し撫でられた軌跡に基づく信号により認識された文字をディスプレイ２に表示する第２の表示制御等が行われる。
【００３３】
次に、このような構成の携帯電話機２００において、タッチパネル６６による文字入力方法について説明する。なお、文字入力方法は第１の実施の形態と同様であるので、その表示画面例についてのみ説明する。
図９は、携帯電話機２００において、タッチパネル６６により、文字入力が行われ、「外」と認識しうる軌跡がタッチパネル６６のＬＣＤに表示されるとともに、ディスプレイ２に「外」という文字が確定され、表示された状態を示している。
【００３４】
つまり、第２の実施の形態においては、携帯電話機２００のタッチパネル６６の表面を撫で、撫でた軌跡がタッチパネル６６のＬＣＤに表示される。ここで、タッチパネル６６を構成する抵抗膜方式の位置検出デバイスは、光透過性を有しているので、ＬＣＤにおける表示が光透過性を有する位置検出デバイスを介して視認可能となり、タッチパネル６６に表示されることとなり、入力した軌跡を確認することができる。よって、入力した軌跡をディスプレイ２に表示しなくてもよいため、ディスプレイ２は、確定した文字、文章の表示をより大きく行うことができるので、文章の入力を行いやすい。
【００３５】
なお、図９において、タッチパネル６６により入力された信号に基づきＬＣＤ、タッチパネル６６に表示された「外」と認識しうる軌跡と、その軌跡に基づく文字が確定され、ディスプレイ２に「外」という文字が同時に表示された状態を示しているが、これは説明のためのモデル図である。通常は、入力された軌跡に基づき文字が確定し、ディスプレイ２にその文字が表示された場合は、次の文字入力待機状態となるため、ＬＣＤに表示された軌跡は消去されるので、文字が確定した状態ではＬＣＤ、タッチパネル６６に表示は行われていない。
【００３６】
このように、本発明の携帯電話１００、２００は、タッチパッド６や、タッチパネル６６を用いて漢字やかな文字、英数字等の入力を直接行うことができるので、文字の入力を速く行うことができ、文章の作成を効率よく行うことができる。
特に、この位置検出部としてのタッチパッド６や、タッチパネル６６は、未使用時はテンキー部６０、７０に覆われているので、破損、損傷から防がれるとともに、テンキー部６０、７０が閉じられた状態は、位置検出部を備えない従来の携帯電話機４００（図１１）と同じ形状であるので、従来の携帯電話機４００におけるデザイン性の良さをそのまま使用することができる。
また、テンキー部６０、７０による文字入力機能は、従来の携帯電話機４００と同様に備えられているので、従来の携帯電話機４００のように、テンキー操作等による文字入力も行うことができる。
【００３７】
なお、以上の実施の形態においては、折り畳み式携帯電話機として携帯電話機１００、２００を図示して説明したが、本発明はこれに限定されるものではなく、例えば、図１０に示すような折り畳み式でない構成の携帯電話機３００であってもよい。
また、以上の実施の形態においては、位置検出部としてのタッチパッド６や、タッチパネル６６の表面を撫で、その撫でた軌跡に基づき文字の入力を行う方法について説明したが、本発明はこれに限定されるものではなく、例えば、位置検出部には、予め、かな文字や英数字等の入力位置が表示されるなどして定められており、その位置を触れる、または押下することにより文字を入力する構成であってもよい。このような構成であれば、例えば、「お」の位置を１回押下することにより「お」の文字を入力することができるので、従来のようにテンキーを５回押下することに比べ、効率的な文字入力を行うことができる。
【００３８】
また、以上の実施の形態において、携帯電話機１００は、ヒンジ機構で開閉するテンキー部６０と、位置検出部としてタッチパッド６を備える構成とし、また、携帯電話機２００はスライド機構で開閉するテンキー部７０と、位置検出部として光透過性を有するタッチパネル６６を備える構成とし、説明したが、本発明はこれに限定されるものではなく、テンキー部の開閉のための機構や、位置検出部の種類はどのような組み合わせであってもよい。
また、以上の実施の形態において、位置検出部（タッチパッド６、タッチパネル６６）は、抵抗膜方式の位置検出デバイスとして説明したが、本発明はこれに限定されるものではなく、位置検出部は、アナログ式、デジタル式、静電容量式、赤外線走査方式、光学式等、所望の文字入力動作が行えるものであれば、どのような方式の位置検出部であってもよい。
また、携帯電話機の形状、キー配列、等も任意であり、その他、具体的な細部構造等についても適宜に変更可能であることは勿論である。
【００３９】
【発明の効果】
請求項１記載の発明によれば、電話機本体の表面における移動部材により覆われる領域に、表示部とは別体に、文字入力を行うための位置検出部を設けたので、表示部の画面表示品質を低下させることなく、位置検出部より文字入力を効率的に行うことができる。
また、位置検出部は、移動部材により覆われることにより、損傷から防がれるとともに、外観上隠されるので、携帯電話機のデザイン性が損なわれることがない。
【００４０】
請求項２記載の発明によれば、請求項１記載の発明と同様の効果が得られることは無論のこと、特に、位置検出部において、位置検出部が押下された軌跡に基づく信号を検出し、認識手段がその検出された信号に基づき文字を認識することにより、文字入力が行われるので、直接文字を入力することができることとなり、文字入力を効率的に行うことができる。
【００４１】
請求項３記載の発明によれば、請求項１または２記載の発明と同様の効果が得られることは無論のこと、特に、携帯電話機本体に移動可能に取り付けられた移動部材は、移動部材の一端が携帯電話機本体に、ヒンジ機構を介して取り付けられているので、移動部材の開閉は速やかに行うことができる。
【００４２】
請求項４記載の発明によれば、請求項１または２記載の発明と同様の効果が得られることは無論のこと、特に、携帯電話機本体に移動可能に取り付けられた移動部材は、移動部材の端部が携帯電話機本体に、スライド機構を介して取り付けられているので、移動部材の開閉は速やかに行うことができる。
【図面の簡単な説明】
【図１】本発明にかかる第１の実施の形態における携帯電話機を示す図であり、（ａ）は正面図、（ｂ）は側面図である。
【図２】図１（ａ）のＩＩ−ＩＩ線における要部の拡大断面図である。
【図３】本発明にかかる第１の実施の形態における携帯電話機を示す図であり、（ａ）は正面図、（ｂ）は側面図である。
【図４】図３（ａ）のＩＶ−ＩＶ線における要部の拡大断面図である。
【図５】本発明の携帯電話機における文字入力動作の一例を示す表示画面例としての説明図である。
【図６】本発明の携帯電話機における文字入力動作の一例を示す表示画面例としての説明図である。
【図７】本発明にかかる第２の実施の形態における携帯電話機を示す図であり、（ａ）は正面図、（ｂ）は側面図である。
【図８】本発明にかかる第２の実施の形態における携帯電話機を示す図であり、（ａ）は正面図、（ｂ）は側面図である。
【図９】本発明にかかる第２の実施の形態の携帯電話機における文字入力動作の一例を示す説明図である。
【図１０】本発明にかかる携帯電話機における別の実施形態を示す図であり、（ａ）は正面図、（ｂ）は側面図である。
【図１１】従来の携帯電話機を示す図であり、（ａ）は正面図、（ｂ）は側面図である。
【符号の説明】
１　　　ファンクションキー釦
２　　　ディスプレイ（表示部）
２ａ　　軌跡表示エリア
２ｂ　　文章表示エリア
３　　　ヒンジ部材
４　　　テンキー釦（操作キー）
５　　　ヒンジ部（ヒンジ機構）
６　　　タッチパッド（位置検出部）
５０　　電話機本体
５０ａ　本体入力部
５０ｂ　本体表示部
５５ａ　電話機本体
５５ｂ　レール溝（スライド機構）
６０　　テンキー部（移動部材）
６６　　タッチパネル（位置検出部）
７０　　テンキー部（移動部材）
７０ａ　レール爪（スライド機構）
１００　携帯電話機
２００　携帯電話機
３００　携帯電話機
【図１】
2004096494.tif 000003
【図２】
2004096494.tif 000004
【図３】
2004096494.tif 000005
【図４】
2004096494.tif 000006
【図５】
2004096494.tif 000007
【図６】
2004096494.tif 000008
【図７】
2004096494.tif 000009
【図８】
2004096494.tif 000010
【図９】
2004096494.tif 000011
【図１０】
2004096494.tif 000012
【図１１】
2004096494.tif 000013